(57)【要約】【課題】室外機の動作中に室外機の排気を妨げることがなく、室外機から生じる音による騒音を抑制することができる防音ユニットを提供することを目的とする。【解決手段】室外機の室外機用の防音ユニットであって、前記室外機の少なくとも一部の面に対向して防音板が配置され、該防音板は板状部材に複数の防音デバイスが設けられ、該防音デバイスは、底に穴を有する椀形状の集音部と、該集音部の底穴から延びる筒状の通気路を有しており、前記板状部材は複数の貫通孔が設けられており、前記防音デバイスは、前記集音部が前記室外機に対向するようにして、前記防音板の貫通孔ごとに設けられており、前記防音デバイスの通気路を介して、前記防音板の表裏面で空気が行き来することができるものであることを特徴とする防音ユニット。【選択図】  図１
2016200385.tif 000002
【特許請求の範囲】
【請求項１】
室外機用の防音ユニットであって、
前記室外機の少なくとも一部の面に対向して防音板が配置され、
該防音板は板状部材に複数の防音デバイスが設けられ、
該防音デバイスは、底に穴を有する椀形状の集音部と、該集音部の底穴から延びる筒状の通気路を有しており、
前記板状部材は複数の貫通孔が設けられており、
前記防音デバイスは、前記集音部が前記室外機に対向するようにして、前記防音板の貫通孔ごとに設けられており、
前記防音デバイスの通気路を介して、前記防音板の表裏面で空気が行き来することができるものであることを特徴とする防音ユニット。
【請求項２】
前記室外機は、ヒートポンプ装置又はエアコンの室外機であることを特徴とする請求項１に記載の防音ユニット。
【請求項３】
前記防音デバイスは、前記集音部に対して前記通気路を介して対向するように、さらに別の前記集音部が設けられたものであることを特徴とする請求項１又は請求項２に記載の防音ユニット。
【請求項４】
前記防音板は、少なくとも前記室外機の排気口が設けられた前面に対向して配置されたものであることを特徴とする請求項１から請求項３のいずれか一項に記載の防音ユニット。
【請求項５】
前記室外機の前面に対向して配置された前記防音板に対して、前記室外機を挟んで対向するように吸音板が配置されたものであることを特徴とする請求項４に記載の防音ユニット。
【請求項６】
前記室外機の前面に対向して配置された前記防音板に連結して、前記室外機の上面及び左右側面に対向するように、貫通孔のない反射板がさらに配置されたものであることを特徴とする請求項４又は請求項５に記載の防音ユニット。
【請求項７】
前記室外機の上面に対向して配置された前記反射板が、前記室外機の上面に対して傾斜して設けられたものであることを特徴とする請求項６に記載の防音ユニット。
【請求項８】
前記室外機の左右側面に対向して配置された前記反射板が、前記室外機のそれぞれの対向する側面に対して傾斜して設けられたものであることを特徴とする請求項６又は請求項７に記載の防音ユニット。
【請求項９】
前記室外機の前面に対向して配置された前記防音板に連結して、前記室外機の上面及び左右側面に対向するように、前記防音板がさらに配置されたものであることを特徴とする請求項４又は請求項５に記載の防音ユニット。
【請求項１０】
前記室外機の上面に対向して配置された前記防音板が、前記室外機の上面に対して傾斜して設けられたものであることを特徴とする請求項９に記載の防音ユニット。
【請求項１１】
前記室外機の左右側面に対向して配置された前記防音板が、前記室外機のそれぞれの対向する側面に対して傾斜して設けられたものであることを特徴とする請求項９又は請求項１０に記載の防音ユニット。
【請求項１２】
前記室外機の前面に対向して配置された前記防音板は、前記室外機の前面に対して前後に移動可能なものであることを特徴とする請求項４から請求項１１のいずれか一項に記載の防音ユニット。
【請求項１３】
少なくとも、前記防音板は、設置面からかさ上げされて設けられたものであることを特徴とする請求項１から請求項１２のいずれか一項に記載の防音ユニット。
【請求項１４】
少なくとも、前記防音板は、断熱材が設けられたものであることを特徴とする請求項１から請求項１３のいずれか一項に記載の防音ユニット。
【発明の詳細な説明】
【技術分野】
【０００１】
本発明は、室外機用の防音ユニットに関する。
【背景技術】
【０００２】
近年、ヒートポンプを加熱源に用いた家庭用の給湯システムが提供されている。このようなヒートポンプ方式の給湯システムは、ヒートポンプにおいて水と冷媒との間で熱交換を行なうことにより高温の温水を作り出している。そして、この高温の温水を貯湯槽に一旦貯留した後に、貯湯槽から給湯用の配管を介して給湯している。
【０００３】
ところで、一般に、ヒートポンプ装置は、電気料金の安い深夜時間帯に運転されることが多い。そのため、ヒートポンプ装置を運転させた際に、室外機から生じた音が、例え小さな音であっても、隣家との間で騒音問題となることがあった。
【０００４】
従来、空調用の室外機の騒音に対しては、特許文献１のような制音構造体を空調用の室外機に取り付ける方法が用いられていた。
そして、上記のような制音構造体をヒートポンプ装置の室外機に適応し、室外機から生じた音による騒音を抑制することが試みられた。
【先行技術文献】
【特許文献】
【０００５】
【特許文献１】特開２０１３−８８７９４号公報
【発明の概要】
【発明が解決しようとする課題】
【０００６】
しかしながら、上記のような制音構造体をヒートポンプ装置の室外機に用いた場合、通気性が悪く、室外機の排気を妨げるために十分な放熱ができないという問題があった。また、エアコンの室外機に用いた場合にも、同様の問題があった。
【０００７】
本発明は前述のような問題に鑑みてなされたもので、室外機の動作中に室外機の排気を妨げることがなく、室外機から生じる音による騒音を抑制することができる防音ユニットを提供することを目的とする。
【課題を解決するための手段】
【０００８】
上記目的を達成するために、本発明によれば、室外機用の防音ユニットであって、
前記室外機の少なくとも一部の面に対向して防音板が配置され、
該防音板は板状部材に複数の防音デバイスが設けられ、
該防音デバイスは、底に穴を有する椀形状の集音部と、該集音部の底穴から延びる筒状の通気路を有しており、
前記板状部材は複数の貫通孔が設けられており、
前記防音デバイスは、前記集音部が前記室外機に対向するようにして、前記防音板の貫通孔ごとに設けられており、
前記防音デバイスの通気路を介して、前記防音板の表裏面で空気が行き来することができるものであることを特徴とする防音ユニットを提供する。
【０００９】
このようなものであれば、室外機で発生した音を、防音デバイスの集音部によって反射及び減衰させることができるので、室外機から生じる音による騒音を抑制することができる。さらに、防音デバイスの通気路を介して、前記防音板の表裏面で空気が行き来することができるので、室外機の運転時における室外機の排気を妨げることがない。
【００１０】
このとき、前記室外機は、ヒートポンプ装置又はエアコンの室外機とすることができる。
本発明は、上記のようにヒートポンプ装置又はエアコンの室外機に好適に用いることができる。
【００１１】
このとき、前記防音デバイスは、前記集音部に対して前記通気路を介して対向するように、さらに別の前記集音部が設けられたものであることが好ましい。
このようなものであれば、防音効果がさらに高い防音デバイスとすることができるので、室外機から生じる音による騒音をより確実に抑制することができる。
【００１２】
このとき、前記防音板は、少なくとも前記室外機の排気口が設けられた前面に対向して配置されたものであることが好ましい。
このようなものであれば、室外機の排気口から発生した音を、防音デバイスの集音部によって反射及び減衰させることがより確実にできるので、室外機から生じる音による騒音をより確実に抑制することができる。
【００１３】
またこのとき、前記室外機の前面に対向して配置された前記防音板に対して、前記室外機を挟んで対向するように吸音板が配置されたものであることが好ましい。
このようなものであれば、室外機の前面に対向して配置された防音板によって反射された音が吸音板で吸収されるので、室外機から生じる音による騒音をより確実に抑制することができる。
【００１４】
またこのとき、前記室外機の前面に対向して配置された前記防音板に連結して、前記室外機の上面及び左右側面に対向するように、貫通孔のない反射板がさらに配置されたものであることが好ましい。
このようなものであれば、室外機から発生して室外機の上面方向及び左右側面方向へ進む音を、反射板で反射させることができるので、室外機から生じる音による騒音をより確実に抑制することができる。
【００１５】
またこのとき、前記室外機の上面に対向して配置された前記反射板が、前記室外機の上面に対して傾斜して設けられたものであることが好ましい。
このようなものであれば、室外機から発生して室外機の上面方向へ進む音を、反射板でより効果的に反射させることができるので、室外機から生じる音による騒音をより確実に抑制することができる。
【００１６】
またこのとき、前記室外機の左右側面に対向して配置された前記反射板が、前記室外機のそれぞれの対向する側面に対して傾斜して設けられたものであることが好ましい。
このようなものであれば、室外機から発生して室外機の左右側面方向へ進む音を、反射板でより効果的に反射させることができるので、室外機から生じる音による騒音をより確実に抑制することができる。
【００１７】
またこのとき、前記室外機の前面に対向して配置された前記防音板に連結して、前記室外機の上面及び左右側面に対向するように、前記防音板がさらに配置されたものであることが好ましい。
このようなものであれば、室外機から発生して室外機の上面方向及び左右側面方向へ進む音を、防音板に設けられた防音デバイスの集音部によって反射及び減衰させることができるので、室外機から生じる音による騒音をより確実に抑制することができる。さらに、それぞれの防音板において表裏面で空気が行き来することができるので、室外機の排気を妨げることがない。
【００１８】
またこのとき、前記室外機の上面に対向して配置された前記防音板が、前記室外機の上面に対して傾斜して設けられたものであることが好ましい。
このようなものであれば、室外機から発生して室外機の上面方向へ進む音を、防音板に設けられた防音デバイスの集音部によって反射及び減衰させることができるので、室外機から生じる音による騒音をより確実に抑制することができる。
【００１９】
またこのとき、前記室外機の左右側面に対向して配置された前記防音板が、前記室外機のそれぞれの対向する側面に対して傾斜して設けられたものであることが好ましい。
このようなものであれば、室外機から発生して室外機の左右側面方向へ進む音を、防音板に設けられた防音デバイスの集音部によって反射及び減衰させることができるので、室外機から生じる音による騒音をより確実に抑制することができる。
【００２０】
またこのとき、前記室外機の前面に対向して配置された前記防音板は、前記室外機の前面に対して前後に移動可能なものであることが好ましい。
このようなものであれば、室外機の前面と防音板との間隔を調節することができる。
【００２１】
またこのとき、少なくとも、前記防音板は、設置面からかさ上げされて設けられたものであることが好ましい。
このようなものであれば、防音板への結露等を低コストで防止することができる。
【００２２】
またこのとき、少なくとも、前記防音板は、断熱材が設けられたものであることが好ましい。
このようなものであれば、防音板への結露等をより効果的に防止することができる。
【発明の効果】
【００２３】
本発明の防音ユニットは、室外機で発生した音を、防音デバイスの集音部によって反射及び減衰させることができるので、室外機から生じる音による騒音を抑制することができる。さらに、防音デバイスの通気路を介して、前記防音板の表裏面で空気が行き来することができるので、室外機の動作中に室外機の排気を妨げることがない。
【図面の簡単な説明】
【００２４】
【図１】本発明の第一の実施形態による防音ユニットの概略図である。
【図２】集音部が通気路の一端にある防音デバイスを示した概略図である。
【図３】集音部が通気路の両端にある防音デバイスを示した概略図である。
【図４】集音部が入れ子構造の防音デバイスを示した概略図である。
【図５】本発明の第二の実施形態による防音ユニットの概略図である。
【図６】本発明の第三の実施形態による防音ユニットの概略側面図である。
【図７】本発明の第三の実施形態による防音ユニットの概略上面図である。
【図８】本発明の第四の実施形態による防音ユニットの概略側面図である。
【図９】本発明の第四の実施形態による防音ユニットの概略上面図である。
【図１０】本発明の第五の実施形態による防音ユニットの概略側面図である。
【図１１】本発明の第五の実施形態による防音ユニットの概略上面図である。
【図１２】本発明の第六の実施形態による防音ユニットの概略図である。
【図１３】本発明の第七の実施形態による防音ユニットの概略図である。
【図１４】実施例１における音圧レベルの測定方法を示した概略図である。
【図１５】実施例２における音圧レベルの測定方法を示した概略図である。
【図１６】実施例において測定したオクターブバンド中心周波数における音圧レベルを示したグラフである。
【発明を実施するための形態】
【００２５】
以下、本発明について実施の形態を説明するが、本発明はこれに限定されるものではない。
近年、室外機を運転させた際に、室外機から生じた音が騒音問題となることがあった。しかしながら、このような室外機から生じる音を防ぐための制音構造体は、通気性が悪く、室外機の排気を妨げるために十分な放熱ができないという問題があった。
【００２６】
そこで、本発明者はこのような問題を解決すべく鋭意検討を重ねた。その結果、室外機の少なくとも一部の面に対向して防音デバイスが設けられた通気性のある防音板を配置することに想到した。そして、これらを実施するための最良の形態について精査し、本発明を完成させた。なお本発明の防音ユニットは、ヒートポンプ装置又はエアコンの室外機に好適に用いることができる。
【００２７】
（第一の実施形態）
本発明の第一の実施形態による防音ユニットについて概略図を図１に示した。
図１に示すように、第一の実施形態による防音ユニット１ａでは、室外機２の少なくとも一部の面に対向して防音板３が配置されている。防音板３には板状部材４に複数の防音デバイス５が設けられている。防音デバイス５は、底に穴を有する椀形状の集音部６と、集音部６の底穴から延びる筒状の通気路７を有している。板状部材４は複数の貫通孔が設けられており、防音デバイス５は、集音部６が室外機２に対向するようにして、防音板３の貫通孔ごとに設けられている。そして、防音デバイス５の通気路７を介して、防音板３の表裏面で空気が行き来することができるようになっている。
【００２８】
防音デバイス５は、通気路７によって防音板３の表裏面で空気が行き来することができる。一方、室外機２で発生し、集音部６に到達した音の大部分が、集音部６の内表面で反射及び減衰する。また、集音部６に到達した音波のごく一部は、通気路７内に入るが、通気路７の端部における断面の急激な変化により、反射及び減衰する。従って、防音デバイス５を用いることにより、通気しつつ防音することができる。
【００２９】
このように、室外機２で発生した音を、防音デバイス５の集音部６によって反射及び減衰させることができるので、室外機２から生じる音による騒音を抑制することができる。さらに、防音デバイス５の通気路７を介して、防音板３の表裏面で空気が行き来することができるので、室外機２の動作中に室外機２の排気を妨げることがない。
【００３０】
このとき、図１に示すように、防音板３は、少なくとも室外機２の排気口８が設けられた前面に対向して配置されたものであることが好ましい。
これにより、室外機２の排気口８から発生した音を、防音デバイス５の集音部６によって反射及び減衰させることがより確実にできるので、室外機２から生じる音による騒音をより確実に抑制することができる。
【００３１】
防音デバイスは、例えば図２に示すような防音デバイス５ａを用いることができる。防音デバイス５ａは、底に穴を有する椀形状の集音部６が、集音部６の底穴から延びる筒状の通気路７の一端に配置されている。
集音部６の形状は椀形状であればよい。例えば、球面状、楕円面状、パラボリック、円錐状のいずれかとすることができる。
【００３２】
また、図３に示すような集音部６に対して通気路７を介して対向するように、さらに別の集音部６が設けられている防音デバイス５を用いることができる。
防音デバイス５は、底に穴を有する椀形状の集音部６が、集音部６の底穴から延びる筒状の通気路７の両端に配置されているので、防音効果をさらに高くすることができ、室外機２から生じる音による騒音をより確実に抑制することができる。
【００３３】
また、図４に示すような防音デバイス５ｂを用いることができる。防音デバイス５ｂは、集音部６ａとその内側に入れ子となる集音部６ｂを有するような、入れ子構造となっている。集音部６ａ、６ｂは共に底に穴を有する椀形状を有しており、底穴から延びる筒状の通気路７の両端に配置されている。
これにより、防音効果がさらに高いものとすることができる。入れ子の数は特に限定されず、さらに多くすることもできる。また、集音部６ａ、６ｂを、通気路７の一端に配置したものとすることもできる。
【００３４】
防音デバイスとしては、例えば具体的には、エアトース（登録商標）（ノーズビレッジラボ社製）を用いることができる。
【００３５】
板状部材４は、例えばグラスウール、発泡ウレタン、ゴム等を用いることができる。また、板状部材４の表面に撥水加工又は防カビ加工等を施すことによって、耐水性や耐候性に優れたものとすることが好ましい。
【００３６】
以下では、図３に示したような、集音部６を通気路７の両端に有する防音デバイス５を用いた場合を例に説明する。
【００３７】
（第二の実施形態）
本発明の第二の実施形態による防音ユニットについて概略図を図５に示した。
図５に示すように、第二の実施形態による防音ユニット１ｂでは、室外機２の前面に対向して配置された防音板３に対して、室外機２を挟んで対向するように吸音板９が配置されている。
これにより、室外機２の前面に対向して配置された防音板３で反射された騒音を吸音板９で吸収することができるので、室外機２から生じる音による騒音をより確実に抑制することができる。
【００３８】
吸音板９は、音を吸音することができるものであればよく、シート状又は板状のものを用いることができる。例えばグラスウール、発泡ウレタン、ゴム等を用いることができる。また、吸音板９の表面に撥水加工又は防カビ加工等を施すことによって、耐水性や耐候性に優れたものとすることが好ましい。
【００３９】
吸音板９は、例えば建物の外壁１０の壁面に貼り付けるように設置することができる。このようにすることで、簡単に設置することができる。さらに、室外機２で発生した音が、外壁１０の壁面で反射することを効果的に防ぐことができるので、室外機２から生じる音による騒音をより確実に抑制することができる。
【００４０】
以下では、室外機の前面に対向して配置された防音板に対して、室外機を挟んで対向するように吸音板が配置された場合を例に説明する。
【００４１】
（第三の実施形態）
本発明の第三の実施形態による防音ユニットについて、概略側面図及び概略上面図を図６及び図７に示した。
図６に示すように、第三の実施形態による防音ユニット１ｃでは、防音板３に連結して、室外機２の上面に対向するように配置された反射板１１ａを傾斜させて設けられている。さらに、図７に示すように、防音板３に連結して、室外機２の左右側面に対向するように配置された反射板１１ｂも傾斜させて設けられている。このようにして、反射板１１ａ、１１ｂによって形成された開口が室外機２に向かって広くなるようなホッパー形状となるように反射板１１ａ、１１ｂを配置している。
これにより、室外機２から発生し、室外機２の上面方向及び左右側面方向へ進む音を、反射板１１ａ、１１ｂで効果的に反射させることができるので、騒音をより確実に低減することができる。
【００４２】
このように、室外機２の前面に対向して配置された防音板３に連結して、室外機２の上面及び左右側面に対向するように、貫通孔のない反射板がさらに配置されたものであることが好ましい。
これにより、室外機２から発生して室外機２の左右側面方向へ進む音を、反射板１１ａ、１１ｂでより効果的に反射させることができるので、室外機２から生じる音による騒音をより確実に抑制することができる。
【００４３】
またこのとき、室外機２の上面に対向して配置された反射板が、室外機２の上面に対して傾斜して設けられたものであることが好ましい。
これにより、室外機２から発生して室外機２の上面方向へ進む音を、反射板１１ａでより効果的に反射させることができるので、室外機２から生じる音による騒音をより確実に抑制することができる。
【００４４】
またこのとき、室外機２の左右側面に対向して配置された反射板が、室外機２のそれぞれの対向する側面に対して傾斜して設けられたものであることが好ましい。
これにより、室外機２から発生して室外機２の左右側面方向へ進む音を、反射板１１ｂでより効果的に反射させることができるので、室外機２から生じる音による騒音をより確実に抑制することができる。
【００４５】
反射板１１は、例えばグラスウール、発泡ウレタン、ゴム等を用いることができる。また、反射板１１の表面に撥水加工又は防カビ加工等を施すことによって、耐水性や耐候性に優れたものとすることが好ましい。
【００４６】
（第四の実施形態）
本発明の第四の実施形態による防音ユニットについて、概略側面図及び概略上面図を図８及び図９に示した。
図８に示すように、防音ユニット１ｄは、室外機２の前面に対向して配置された防音板３に連結して、室外機２の上面及び左右側面に対向するように、防音板がさらに配置されていることが好ましい。
これにより、室外機２から発生して室外機２の上面方向及び左右側面方向へ進む音を、防音板３ａ、３ｂに設けられた防音デバイス５の集音部によって反射及び減衰させることができるので、室外機２から生じる音による騒音をより確実に抑制することができる。さらに、それぞれの防音板３ａ、３ｂにおいて表裏面で空気が行き来することができるので、室外機２の排気を妨げることがない。
【００４７】
防音ユニット１ｄはさらに、室外機２の上面に対向して配置された防音板３ａが、室外機２の上面に対して傾斜して設けられていることが好ましい。
これにより、室外機２から発生して室外機２の上面方向へ進む音を、防音板３ａに設けられた防音デバイス５の集音部によって反射及び減衰させることができるので、室外機２から生じる音による騒音をより確実に抑制することができる。
【００４８】
防音ユニット１ｄはまた、室外機２の左右側面に対向して配置された防音板３ｂが、室外機２のそれぞれの対向する側面に対して傾斜して設けられていることが好ましい。
これにより、室外機２から発生して室外機２の左右側面方向へ進む音を、防音板３ｂに設けられた防音デバイス５の集音部によって反射及び減衰させることができるので、室外機２から生じる音による騒音をより確実に抑制することができる。
【００４９】
このように、防音ユニット１ｄでは、防音板３ａ、３ｂによって形成された開口が室外機２に向かって広くなるようなホッパー形状となるように、防音板３ａ、３ｂが配置されている。
【００５０】
（第五の実施形態）
本発明の第五の実施形態による防音ユニットについて、概略側面図及び概略上面図を図１０及び図１１に示した。
図１０に示すように、第五の実施形態による防音ユニット１ｅでは、防音板３に連結して、室外機２の上面に対向するように配置された防音板３ａを傾斜させて設けられている。一方、図１１に示すように、防音板３に連結して、室外機２の左右側面に対向するように配置された防音板３ｂは、室外機に対して傾斜させずに設けられている。そして、防音板３ａ、３ｂによって、室外機２の上面及び左右側面の全面が覆われるようにして防音板３ａ、３ｂを配置している。
これにより、室外機２から発生し、室外機２の上面方向及び左右側面方向へ進む音を、防音板３ａ、３ｂに設けられた防音デバイス５の集音部によって反射及び減衰させることができるので、室外機２から生じる音による騒音をより確実に抑制することができる。
【００５１】
さらに、図１０に示すように防音板３ｂには、室外機２のメンテナンス用スペース１２が設けられている。メンテナンス用スペース１２は例えば、開口とすることができる。また、メンテナンス用スペース１２に開閉可能な扉を設けても良い。
【００５２】
上述した各実施形態において、例えば図１に示すように室外機２下部の足に噛ませるようにして、防音板３を固定することができる。このようすれば、簡単に防音ユニット１ａを設置することができるので、設置のためのコストを低く抑えることができる。
【００５３】
（第六の実施形態）
本発明の第六の実施形態による防音ユニットについて概略図を図１２に示した。
図１２に示すように、第六の実施形態による防音ユニット１ｆでは、室外機２下部と地面との隙間に差し込むようにして、防音板３を設置している。そして防音板３は、室外機２の前面に対して前後に移動可能になっている。防音板３は軽量であるので、このような簡単な構造で、防音板３を室外機２の前面に対して前後に動かすことが容易にできる。
【００５４】
（第七の実施形態）
本発明の第七の実施形態による防音ユニットについて概略図を図１３に示した。
図１３に示すように、第七の実施形態による防音ユニット１ｇでは、レール１３を敷設し、防音板３の下部には車輪１４を設けている。そして、防音板３が、レール１３上を車輪１４によって、室外機２の前面に対して前後に移動可能となっている。
このようなものであれば、小さな力で防音板３を動かすことができるので、防音板３を室外機２の前面に対して前後に動かすことが容易にできる。
【００５５】
上述した第六の実施形態及び第七の実施形態のように、室外機２の前面に対向して配置された防音板３は、室外機２の前面に対して前後に移動可能なものであることが好ましい。
このようなものであれば、室外機２の前面と防音板３との間隔を調節することができるので、例えば室外機２から生じた音が共鳴してしまうことを防ぐことが容易にできる。そのため、より確実に効果的に防音と排気をすることができる。
また、防音板３を配置するスペースに応じて、防音板３と室外機２との間隔を調節することができるので、配置の自由度が増える。例えば、防音板３を配置するスペースが狭い場合であっても防音板３を配置することが容易にできる。
【００５６】
また、上述した各実施形態において、防音板への防音デバイスの取り付けの際の配置の仕方は特に限定されず、例えば縦横方向に等間隔に防音板へ防音デバイスを設けることができる。また例えば、室外機の前面に対向して配置される防音板に対して、室外機の排気用のファンの形状に合わせて、防音デバイスを円形状に並べるように配置することができる。このようにすれば、少ない防音デバイスで効果的に防音と排気をすることができるので、コストを低く抑えることができる。
【００５７】
また、上述した各実施形態において、少なくとも、防音板は、設置面（地面や床面等の室外機や防音ユニットを設置する面）からかさ上げされて設けられたものであることが好ましい。このようなものであれば、防音板への結露等を低コストで防止することができる。また、少なくとも、防音板は、断熱材が設けられたものであることが好ましい。このようなものであれば、防音板への結露等をより効果的に防止することができる。
【実施例】
【００５８】
以下、実施例を示して本発明をより具体的に説明するが、本発明はこれに限定されるものではない。
【００５９】
（実施例１）
防音ユニットを設置した場合に、室外機から生じる音による騒音がどの程度緩和するかを検証した。以下では、室外機として、ヒートポンプ方式の給湯システムの室外機を用いた。
【００６０】
室外機から生じる音による騒音を抑制するために、図１４に示すような本発明の防音ユニットを設置した場合における音圧レベルの測定を行った。
【００６１】
図１４に示すように、防音ユニット１ｈは、室外機２の前面に対向して配置された防音板３を有し、この防音板３に連結して室外機２の上面及び左右側面に対向するように、貫通孔のない反射板（ここでは、それぞれ天板、側面板と呼ぶ）が配置されたものである。
【００６２】
防音板３には、防音デバイス５としてエアトース（登録商標）（ノーズビレッジラボ社製）を１０８個（７０ｍｍピッチ）で配列したものを用いた。天板は庇を設け裏面に吸音材を貼付したものを用い、防音板３及び側面板にボルト止めして連結した。側面板は裏面に吸音材を貼付したものを用い、防音板にボルト止めして連結した。
【００６３】
このような防音ユニット１ｈを、室外機２の前面からＸ＝２００ｍｍ離して設置した。このとき防音ユニット１ｈは、固定せずに、地面に直置きした。
【００６４】
騒音計１５は、地上５００ｍｍの高さで、防音ユニット１ｈの前面からＹ＝３００ｍｍ離して設置した。すなわち、室外機２の前面から騒音計１５までの距離（Ｘ＋Ｙ）は５００ｍｍとした。
【００６５】
そして、室外機２を運転させた状態において、騒音計１５によって、１オクターブバンドで周波数測定を行った。
【００６６】
（実施例２）
図１５に示すように、室外機２の前面に対向して配置された防音板３に対して、室外機２を挟んで対向するように吸音板９を配置したこと以外は、実施例１と同様にして、室外機２を運転させた状態において、騒音計１５によって、１オクターブバンドで周波数測定を行った。
【００６７】
また、実施例１と同様の位置に設置した騒音計で、室外機の運転を行っていない状態における環境音の測定及び、図１４に示す防音ユニット１ｈを設置しない場合での室外機２の運転時における騒音の測定を行った。これらの測定結果及び上記した実施例１及び実施例２の測定結果について、下記の表１及び図１６に示した。
【００６８】
【表１】
2016200385.tif 000003
【００６９】
環境音としては、消防団が鐘を鳴らして周回している音や、周辺の道路を走る車の音や、浄化槽のポンプ音（５００〜１０００Ｈｚの辺りと考えられる）などがあった。図１６に示すように、室外機の運転時に生じる騒音は、環境音に比べてかなり大きく、環境音を打ち消すほどであった。そのため、環境音を考慮する必要はないと考えられた。
【００７０】
表１及び図１６の結果から分かるように、実施例１及び実施例２では、室外機の運転に生じる騒音を全ての周波数において大幅に抑制することができた。例えば、周波数６３Ｈｚにおいては、１５ｄＢ以上音圧レベルが低い結果となった。なお、音圧レベルが１０ｄＢ低くなると音の大きさは半分となる。このように、実施例１及び実施例２の結果から、本発明により非常に高い防音効果が得られることが分かった。
【００７１】
また、実施例２では、吸音板を用いたことにより、実施例１よりもさらに、室外機の運転に生じる騒音を抑制することができた。
【００７２】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。
【符号の説明】
【００７３】
１ａ、１ｂ、１ｃ、１ｄ、１ｅ、１ｆ、１ｇ、１ｈ…防音ユニット、
２…室外機、  ３、３ａ、３ｂ…防音板、  ４…板状部材、
５、５ａ、５ｂ…防音デバイス、  ６、６ａ、６ｂ…集音部、  ７…通気路、
８…排気口、  ９…吸音板、  １０…外壁、  １１ａ、１１ｂ…反射板、
１２…メンテナンス用スペース、  １３…レール、  １４…車輪、  １５…騒音計。
【図１】
2016200385.tif 000004
【図２】
2016200385.tif 000005
【図３】
2016200385.tif 000006
【図４】
2016200385.tif 000007
【図５】
2016200385.tif 000008
【図６】
2016200385.tif 000009
【図７】
2016200385.tif 000010
【図８】
2016200385.tif 000011
【図９】
2016200385.tif 000012
【図１０】
2016200385.tif 000013
【図１１】
2016200385.tif 000014
【図１２】
2016200385.tif 000015
【図１３】
2016200385.tif 000016
【図１４】
2016200385.tif 000017
【図１５】
2016200385.tif 000018
【図１６】
2016200385.tif 000019